(57)【要約】【課題】  小型化及び調整作業の容易化を図る。【解決手段】  レンズを保持するレンズ保持枠と、レンズ保持枠が取り付けられる取付部材と、レンズ保持枠の取付部材に対する位置を調整して光軸に対するレンズ保持枠の倒れを調整する倒れ調整部材と、レンズ保持枠の取付部材に対する位置を調整して光軸に対するレンズ保持枠の偏芯を調整する偏芯調整部材とを備え、偏芯調整部材が倒れ調整部材に支持された。【選択図】        図８
2013257499.tif 000002
【特許請求の範囲】
【請求項１】
レンズを保持するレンズ保持枠と、
前記レンズ保持枠が取り付けられる取付部材と、
前記レンズ保持枠の前記取付部材に対する位置を調整して光軸に対する前記レンズ保持枠の倒れを調整する倒れ調整部材と、
前記レンズ保持枠の前記取付部材に対する位置を調整して光軸に対する前記レンズ保持枠の偏芯を調整する偏芯調整部材とを備え、
前記偏芯調整部材が前記倒れ調整部材に支持された
レンズ鏡筒。
【請求項２】
前記倒れ調整部材が光軸方向に直交する放射方向に延びる軸を支点として前記取付部材に回転自在に支持され、
前記偏芯調整部材が光軸方向に直交する放射方向に延びる軸を支点として前記倒れ調整部材に回転自在に支持された
請求項１に記載のレンズ鏡筒。
【請求項３】
前記倒れ調整部材が前記レンズ保持枠に光軸方向において接触され、
前記倒れ調整部材の前記取付部材に対する回転により前記レンズ保持枠の前記取付部材に対する傾きが変化されて前記レンズ保持枠の倒れが調整されるようにした
請求項２に記載のレンズ鏡筒。
【請求項４】
前記偏芯調整部材が前記レンズ保持枠に放射方向において接触され、
前記偏芯調整部材の前記倒れ調整部材に対する回転により前記レンズ保持枠の前記取付部材に対する位置が変化されて前記レンズ保持枠の偏芯が調整されるようにした
請求項２に記載のレンズ鏡筒。
【請求項５】
前記偏芯調整部材にネジ部が形成され、
前記倒れ調整部材に前記ネジ部が螺合される螺溝部が形成された
請求項４に記載のレンズ鏡筒。
【請求項６】
前記レンズ保持枠を光軸方向において前記倒れ調整部材に押し付ける付勢バネが設けられた
請求項３に記載のレンズ鏡筒。
【請求項７】
前記レンズ保持枠を前記放射方向において前記偏芯調整部材に押し付けるバネ部材が設けられた
請求項４に記載のレンズ鏡筒。
【請求項８】
前記倒れ調整部材と前記偏芯調整部材が周方向に離隔してそれぞれ複数設けられた
請求項１に記載のレンズ鏡筒。
【請求項９】
前記レンズ保持枠に前記倒れ調整部材が光軸方向において接触される被作用部が設けられ、
前記倒れ調整部材が前記被作用部に点接触されるようにした
請求項３に記載のレンズ鏡筒。
【請求項１０】
前記倒れ調整部材と前記偏芯調整部材による調整時に前記レンズ保持枠を前記取付部材に保持する保持部材が設けられた
請求項１に記載のレンズ鏡筒。
【請求項１１】
前記レンズ保持枠に連結穴が形成され、
前記保持部材に、前記連結穴に挿入されて前記連結穴を形成する壁面に接する当接部が設けられ、
前記当接部が前記壁面に点接触されるようにした
請求項１０に記載のレンズ鏡筒。
【請求項１２】
光軸に対する前記レンズ保持枠の倒れの調整と光軸に対する前記レンズ保持枠の偏芯の調整とが望遠端状態において行われるようにした
請求項１に記載のレンズ鏡筒。
【請求項１３】
内部に光学系が配置されたレンズ鏡筒と前記光学系を介して取り込まれた光学像を電気的信号に変換する撮像素子とを備え、
前記レンズ鏡筒は、
レンズを保持するレンズ保持枠と、
前記レンズ保持枠が取り付けられる取付部材と、
前記レンズ保持枠の前記取付部材に対する位置を調整して光軸に対する前記レンズ保持枠の倒れを調整する倒れ調整部材と、
前記レンズ保持枠の前記取付部材に対する位置を調整して光軸に対する前記レンズ保持枠の偏芯を調整する偏芯調整部材とを備え、
前記偏芯調整部材が前記倒れ調整部材に支持された
撮像装置。
【発明の詳細な説明】
【技術分野】
【０００１】
本技術はレンズ鏡筒及び撮像装置についての技術分野に関する。詳しくは、光軸に対するレンズ保持枠の偏芯を調整する偏芯調整部材が光軸に対するレンズ保持枠の倒れを調整する倒れ調整部材に支持されるようにして小型化及び調整作業の容易化を図る技術分野に関する。
【背景技術】
【０００２】
スチルカメラ等の各種の撮像装置には、レンズ等の各種の光学部品や光学素子が配置されたレンズ鏡筒が装置本体に内蔵されたタイプ、レンズ鏡筒として機能する交換レンズが装置本体に対して着脱可能とされたタイプ、レンズ鏡筒が伸縮自在に設けられた所謂沈胴タイプ等がある。
【０００３】
このような撮像装置のレンズ鏡筒における光学系にあっては、近年、レンズ（レンズ群）を単純に組立てただけでは、良好な光学性能を確保することが極めて難しくなっている。
【０００４】
そこで、レンズ鏡筒の全体又は一部を組み立てた後に、内部に配置されたレンズ（レンズ群）の一部を傾斜させたり、また、レンズ（レンズ群）を偏芯させることができる調整機構を設け、良好な画質を確保するための光学調整（倒れ調整及び偏芯調整）が行われている。
【０００５】
また、このような光学調整を行った後に、調整後に光学性能が変化しないように、調整を行ったレンズを保持するレンズ保持枠を、例えば、紫外線硬化型接着剤等によって案内筒や移動環等の取付部材に固定することが行われている。
【０００６】
上記のようなレンズ（レンズ群）の光学調整を行う従来の撮像装置として以下のような例がある（例えば、特許文献１の図２参照）。
【０００７】
特許文献１に記載された撮像装置においては、３群保持枠の延出部の先端部に、調整機構が設けられた５群保持板が固定され、第５レンズ群を保持する５群保持枠が第１の調整部材と第２の調整部材によって５群保持板を介して３群保持枠に保持されている。
【０００８】
第１の調整部材は偏芯部材であり、偏芯部材の回転方向を調整することにより第５レンズ群の光軸に対する偏芯調整を行うことが可能とされている。また、第２の調整部材も偏芯部材であり、偏芯部材の回転方向を調整することにより第５レンズ群の光軸に対する倒れ調整を行うことが可能とされている。
【０００９】
【特許文献１】特開２００７−２１９４０５号公報
【発明の開示】
【発明が解決しようとする課題】
【００１０】
ところが、特許文献１に記載された撮像装置にあっては、偏芯調整を行う第１の調整部材と倒れ調整を行う第２の調整部材とが５群保持枠の外周側において周方向に離隔した位置にそれぞれ独立して配置されている。
【００１１】
従って、第１の調整部材と第２の調整部材をそれぞれ配置するための各別のスペースが必要になり、調整機構が周方向において大きなスペースを占有し小型化を阻害する要因になっている。
【００１２】
また、第１の調整部材と第２の調整部材のそれぞれに対して周方向における異なる位置で調整を行う必要があるため、その分、調整作業が繁雑であると言う問題もある。
【００１３】
そこで、本技術レンズ鏡筒及び撮像装置は、上記した問題点を克服し、小型化及び調整作業の容易化を図ることを課題とする。
【課題を解決するための手段】
【００１４】
第１に、レンズ鏡筒は、上記した課題を解決するために、レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持されたものである。
【００１５】
従って、レンズ鏡筒にあっては、倒れ調整部材と偏芯調整部材が同一のスペースに配置される。
【００１６】
第２に、上記したレンズ鏡筒においては、前記倒れ調整部材が光軸方向に直交する放射方向に延びる軸を支点として前記取付部材に回転自在に支持され、前記偏芯調整部材が光軸方向に直交する放射方向に延びる軸を支点として前記倒れ調整部材に回転自在に支持されることが望ましい。
【００１７】
倒れ調整部材が光軸方向に直交する放射方向に延びる軸を支点として取付部材に回転自在に支持され、偏芯調整部材が光軸方向に直交する放射方向に延びる軸を支点として倒れ調整部材に回転自在に支持されることにより、倒れ調整部材と偏芯調整部材が回転されてそれぞれ光軸に対するレンズ保持枠の倒れの調整と偏芯の調整が行われる。
【００１８】
第３に、上記したレンズ鏡筒においては、前記倒れ調整部材が前記レンズ保持枠に光軸方向において接触され、前記倒れ調整部材の前記取付部材に対する回転により前記レンズ保持枠の前記取付部材に対する傾きが変化されて前記レンズ保持枠の倒れが調整されることが望ましい。
【００１９】
倒れ調整部材がレンズ保持枠に光軸方向において接触され、倒れ調整部材の取付部材に対する回転によりレンズ保持枠の取付部材に対する傾きが変化されてレンズ保持枠の倒れが調整されることにより、倒れ調整部材の取付部材に対する回転によりレンズ保持枠の倒れが調整される。
【００２０】
第４に、上記したレンズ鏡筒においては、前記偏芯調整部材が前記レンズ保持枠に放射方向において接触され、前記偏芯調整部材の前記倒れ調整部材に対する回転により前記レンズ保持枠の前記取付部材に対する位置が変化されて前記レンズ保持枠の偏芯が調整されることが望ましい。
【００２１】
偏芯調整部材がレンズ保持枠に放射方向において接触され、偏芯調整部材の倒れ調整部材に対する回転によりレンズ保持枠の取付部材に対する位置が変化されてレンズ保持枠の偏芯が調整されることにより、偏芯調整部材の取付部材に対する回転によりレンズ保持枠の偏芯が調整される。
【００２２】
第５に、上記したレンズ鏡筒においては、前記偏芯調整部材にネジ部が形成され、前記倒れ調整部材に前記ネジ部が螺合される螺溝部が形成されることが望ましい。
【００２３】
偏芯調整部材にネジ部が形成され、倒れ調整部材にネジ部が螺合される螺溝部が形成されることにより、微少な調整を行うことが可能になる。
【００２４】
第６に、上記したレンズ鏡筒においては、前記レンズ保持枠を光軸方向において前記倒れ調整部材に押し付ける付勢バネが設けられることが望ましい。
【００２５】
レンズ保持枠を光軸方向において倒れ調整部材に押し付ける付勢バネが設けられることにより、倒れ調整部材及び偏芯調整部材に対するレンズ保持枠のガタツキが防止される。
【００２６】
第７に、上記したレンズ鏡筒においては、前記レンズ保持枠を前記放射方向において前記偏芯調整部材に押し付けるバネ部材が設けられることが望ましい。
【００２７】
レンズ保持枠を放射方向において偏芯調整部材に押し付けるバネ部材が設けられることにより、偏芯調整部材に対するレンズ保持枠のガタツキが防止される。
【００２８】
第８に、上記したレンズ鏡筒においては、前記倒れ調整部材と前記偏芯調整部材が周方向に離隔してそれぞれ複数設けられることが望ましい。
【００２９】
倒れ調整部材と偏芯調整部材が周方向に離隔してそれぞれ複数設けられることにより、調整位置が複数に亘る。
【００３０】
第９に、上記したレンズ鏡筒においては、前記レンズ保持枠に前記倒れ調整部材が光軸方向において接触される被作用部が設けられ、前記倒れ調整部材が前記被作用部に点接触されることが望ましい。
【００３１】
レンズ保持枠に倒れ調整部材が光軸方向において接触される被作用部が設けられ、倒れ調整部材が被作用部に点接触されることにより、倒れ調整部材に対するレンズ保持枠の接触位置が定まり易い。
【００３２】
第１０に、上記したレンズ鏡筒においては、前記倒れ調整部材と前記偏芯調整部材による調整時に前記レンズ保持枠を前記取付部材に保持する保持部材が設けられることが望ましい。
【００３３】
倒れ調整部材と偏芯調整部材による調整時にレンズ保持枠を取付部材に保持する保持部材が設けられることにより、保持部材によってレンズ保持枠が取付部材に保持された状態で調整が行われる。
【００３４】
第１１に、上記したレンズ鏡筒においては、前記レンズ保持枠に連結穴が形成され、前記保持部材に、前記連結穴に挿入されて前記連結穴を形成する壁面に接する当接部が設けられ、前記当接部が前記壁面に点接触されることが望ましい。
【００３５】
レンズ保持枠に連結穴が形成され、保持部材に、連結穴に挿入されて連結穴を形成する壁面に接する当接部が設けられ、当接部が壁面に点接触されることにより、保持部材に対するレンズ保持枠の接触位置が定まり易い。
【００３６】
第１２に、上記したレンズ鏡筒においては、光軸に対する前記レンズ保持枠の倒れの調整と光軸に対する前記レンズ保持枠の偏芯の調整とが望遠端状態において行われることが望ましい。
【００３７】
光軸に対するレンズ保持枠の倒れの調整と光軸に対するレンズ保持枠の偏芯の調整とが望遠端状態において行われることにより、変倍領域において光学系の感度が最も高い状態で調整が行われる。
【００３８】
撮像装置は、上記した課題を解決するために、内部に光学系が配置されたレンズ鏡筒と前記光学系を介して取り込まれた光学像を電気的信号に変換する撮像素子とを備え、前記レンズ鏡筒は、レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持されたものである。
【００３９】
従って、撮像装置にあっては、レンズ鏡筒において、倒れ調整部材と偏芯調整部材が同一のスペースに配置される。
【発明の効果】
【００４０】
本技術レンズ鏡筒は、レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持されている。
【００４１】
従って、倒れ調整部材と偏芯調整部材が同一のスペースに配置されると共に同じ位置において光軸に対するレンズ保持枠の倒れの調整と偏芯の調整を行うことができるため、小型化及び調整作業の容易化を図ることができる。
【００４２】
請求項２に記載した技術にあっては、前記倒れ調整部材が光軸方向に直交する放射方向に延びる軸を支点として前記取付部材に回転自在に支持され、前記偏芯調整部材が光軸方向に直交する放射方向に延びる軸を支点として前記倒れ調整部材に回転自在に支持されている。
【００４３】
従って、倒れ調整部材と偏芯調整部材を回転させることにより光軸に対するレンズ保持枠の倒れの調整と偏芯の調整を行うことができるため、簡素な構成によって調整の容易化を図ることができる。
【００４４】
請求項３に記載した技術にあっては、前記倒れ調整部材が前記レンズ保持枠に光軸方向において接触され、前記倒れ調整部材の前記取付部材に対する回転により前記レンズ保持枠の前記取付部材に対する傾きが変化されて前記レンズ保持枠の倒れが調整されるようにしている。
【００４５】
従って、倒れ調整部材の取付部材に対する回転によりレンズ保持枠の倒れが調整されるため、簡素な構成の調整機構によって調整を容易に行うことができる。
【００４６】
請求項４に記載した技術にあっては、前記偏芯調整部材が前記レンズ保持枠に放射方向において接触され、前記偏芯調整部材の前記倒れ調整部材に対する回転により前記レンズ保持枠の前記取付部材に対する位置が変化されて前記レンズ保持枠の偏芯が調整されるようにしている。
【００４７】
従って、偏芯調整部材の取付部材に対する回転によりレンズ保持枠の偏芯が調整されるため、簡素な構成の調整機構によって調整を容易に行うことができる。
【００４８】
請求項５に記載した技術にあっては、前記偏芯調整部材にネジ部が形成され、前記倒れ調整部材に前記ネジ部が螺合される螺溝部が形成されている。
【００４９】
従って、微少な調整を行うことが可能になり、調整精度の向上を図ることができる。
【００５０】
請求項６に記載した技術にあっては、前記レンズ保持枠を光軸方向において前記倒れ調整部材に押し付ける付勢バネが設けられている。
【００５１】
従って、倒れ調整部材及び偏芯調整部材に対するレンズ保持枠のガタツキが防止され、光軸に対する倒れに関する調整精度の向上を図ることができる。
【００５２】
請求項７に記載した技術にあっては、前記レンズ保持枠を前記放射方向において前記偏芯調整部材に押し付けるバネ部材が設けられている。
【００５３】
従って、偏芯調整部材に対するレンズ保持枠のガタツキが防止され、光軸に対する偏芯に関する調整精度の向上を図ることができる。
【００５４】
請求項８に記載した技術にあっては、前記倒れ調整部材と前記偏芯調整部材が周方向に離隔してそれぞれ複数設けられている。
【００５５】
従って、調整位置が複数に亘るため、高い調整精度を確保することができる。
【００５６】
請求項９に記載した技術にあっては、前記レンズ保持枠に前記倒れ調整部材が光軸方向において接触される被作用部が設けられ、前記倒れ調整部材が前記被作用部に点接触されるようにしている。
【００５７】
従って、倒れ調整部材に対するレンズ保持枠の接触位置が定まり易く、調整精度の一層の向上を図ることができる。
【００５８】
請求項１０に記載した技術にあっては、前記倒れ調整部材と前記偏芯調整部材による調整時に前記レンズ保持枠を前記取付部材に保持する保持部材が設けられている。
【００５９】
従って、保持部材によってレンズ保持枠が取付部材に保持された状態で調整が行われるため、レンズ保持枠の調整を正確かつ迅速に行うことができる。
【００６０】
請求項１１に記載した技術にあっては、前記レンズ保持枠に連結穴が形成され、前記保持部材に、前記連結穴に挿入されて前記連結穴を形成する壁面に接する当接部が設けられ、前記当接部が前記壁面に点接触されるようにしている。
【００６１】
従って、保持部材に対するレンズ保持枠の接触位置が定まり易く、調整精度の一層の向上を図ることができる。
【００６２】
請求項１２に記載した技術にあっては、光軸に対する前記レンズ保持枠の倒れの調整と光軸に対する前記レンズ保持枠の偏芯の調整とが望遠端状態において行われるようにしている。
【００６３】
従って、変倍領域において光学系の感度が最も高い状態で調整が行われるため、調整精度の向上を図ることができる。
【００６４】
本技術撮像装置は、内部に光学系が配置されたレンズ鏡筒と前記光学系を介して取り込まれた光学像を電気的信号に変換する撮像素子とを備え、前記レンズ鏡筒は、レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持されている。
【００６５】
従って、倒れ調整部材と偏芯調整部材が同一のスペースに配置されると共に同じ位置において光軸に対するレンズ保持枠の倒れの調整と偏芯の調整を行うことができるため、小型化及び調整作業の容易化を図ることができる。
【発明を実施するための最良の形態】
【００６６】
以下に、本技術を実施するための最良の形態を添付図面に従って説明する。
【００６７】
以下に示した最良の形態は、本技術撮像装置をスチルカメラに適用し、本技術レンズ鏡筒をこのスチルカメラの交換レンズとして設けられたレンズ鏡筒に適用したものである。
【００６８】
尚、本技術の適用範囲はスチルカメラ及びスチルカメラの交換レンズとして設けられたレンズ鏡筒に限られることはなく、例えば、ビデオカメラや他の機器に組み込まれる各種の撮像装置及びこれらの撮像装置に設けられる各種のレンズ鏡筒に広く適用することができる。
【００６９】
また、レンズ鏡筒は交換レンズに限られることはなく、伸縮自在に設けられた沈胴タイプや撮像装置の内部に配置されたタイプにも広く適用することができる。撮像装置においても、レンズ鏡筒が伸縮自在に設けられた沈胴タイプや内部にレンズ鏡筒が配置されたタイプにも広く適用することができる。
【００７０】
以下の説明にあっては、スチルカメラの撮影時において撮影者から見た方向で前後上下左右の方向を示すものとする。従って、被写体側が前方となり、撮影者側が後方となる。
【００７１】
尚、以下に示す前後上下左右の方向は説明の便宜上のものであり、本技術の実施に関しては、これらの方向に限定されることはない。
【００７２】
［撮像装置の構成］
撮像装置１は装置本体２とレンズ鏡筒（交換レンズ）３によって構成されている（図１参照）。尚、装置本体２の内部にレンズ鏡筒が組み込まれたタイプや沈胴タイプの撮像装置においては、撮像装置がレンズ鏡筒を含む装置本体のみによって構成される。
【００７３】
装置本体２は筐体４の内外に所要の各部が配置されて成る。
【００７４】
筐体４の上面には各種の入力操作部４ａ、４ａ、・・・が配置されている。入力操作部４ａ、４ａ、・・・としては、例えば、電源釦、シャッター釦、モード切替摘子等が設けられている。
【００７５】
筐体４の後面には図示しない各種の入力操作部とディスプレイが配置されている。入力操作部としては、例えば、ズームスイッチやモード切替摘子等が設けられている。
【００７６】
筐体４の前面には円形状の開口４ｂが形成され、開口４ｂの周囲の部分がレンズ鏡筒３を取り付けるためのマウント部４ｃとして設けられている。
【００７７】
筐体４の内部にはＣＣＤ（Charge Coupled Device）やＣＭＯＳ（Complementary Metal-Oxide Semiconductor）等の撮像素子５が配置され、撮像素子５は開口４ｂの後方に位置されている。
【００７８】
［レンズ鏡筒の構成］
レンズ鏡筒３は、例えば、デジタル一眼レフカメラ用の交換レンズである。
【００７９】
レンズ鏡筒３は、例えば、バリフォーカルレンズとして設けられた４群構成のズーム光学系を有し、物体側（前側）から像側（後側）へ順に配置された第１レンズ群６、第２レンズ群７、第３レンズ群８及び第４レンズ群９を有している（図２参照）。レンズ鏡筒３においては、第１レンズ群６、第２レンズ群７、第３レンズ群８及び第４レンズ群９が光軸方向における適切な位置に移動されることによりズーミングが行われ、第２レンズ群７が光軸方向へ移動されることによりフォーカシングが行われる。
【００８０】
レンズ鏡筒３の後端部には、装置本体２のマウント部４ｃにバヨネット結合されるレンズマウント１０が設けられている。
【００８１】
レンズ鏡筒３には前側から順に何れも略円筒状に形成された固定環１１、中間筒１２及び後部保持環１３が配置されている。
【００８２】
固定環１１には前後に延びる３群直進ガイド溝１１ａが形成されている。固定環１１には固定ローラー１１ｂ、１１ｂ、１１ｂが周方向に離隔して取り付けられている。
【００８３】
中間筒１２は後端部を除いて固定環１１の後端部における外周側に位置され、後端部が固定環１１の後端部に固定されている。中間筒１２の後端部には挿通孔１２ａが形成されている。
【００８４】
後部保持環１３は前面が中間筒１２の後面に固定されている。後部保持環１３の後端部にはレンズマウント１０が固定されている。
【００８５】
上記したレンズマウント１０、固定環１１、中間筒１２及び後部保持環１３は一体的な固定部分として機能し、レンズ鏡筒３におけるベース部分である。
【００８６】
固定環１１の内面側にはズームフォーカスカム環１４が配置されている。ズームフォーカスカム環１４には２群フォーカスカム溝１４ａ、１４ａ、１４ａと移動用カム溝１４ｂ、１４ｂ、１４ｂと３群カム溝１４ｃ、１４ｃ、１４ｃがそれぞれ周方向に離隔して形成されている（図２及び図３参照）。ズームフォーカスカム環１４には連動カム溝（カム孔）１４ｄが形成されている。連動カム溝１４ｄは光軸方向に対して傾斜されている。
【００８７】
移動用カム溝１４ｂ、１４ｂ、１４ｂにはそれぞれ固定環１１の固定ローラー１１ｂ、１１ｂ、１１ｂが摺動自在に係合されている。
【００８８】
ズームフォーカスカム環１４には連結ローラー取付部１４ｅ、１４ｅ、１４ｅが周方向に離隔して設けられている。連結ローラー取付部１４ｅ、１４ｅ、１４ｅにはそれぞれ連結ローラー１５、１５、１５が取り付けられている。
【００８９】
ズームフォーカスカム環１４には周方向に等間隔に離隔して作業孔１４ｆ、１４ｆ、１４ｆが形成されている。作業孔１４ｆは周方向における幅が光軸方向（前後方向）における幅より大きくされている。
【００９０】
作業孔１４ｆ、１４ｆ、１４ｆのうち、例えば、一つの作業孔１４ｆは、連動カム溝１４ｄに連続して形成されている。
【００９１】
このように作業孔１４ｆが連動カム溝１４ｄに連続して形成されることにより、ズームフォーカスカム環１４に形成される孔の面積が小さくなり、ズームフォーカスカム環１４の強度の低下を抑制することができる。
【００９２】
固定環１１の外面側には１群カム環１６が配置されている（図２及び図４参照）。
【００９３】
１群カム環１６の前端部にはバヨネット溝１６ａが形成されている。
【００９４】
１群カム環１６には１群カム溝１６ｂ、１６ｂ、１６ｂと連動溝１６ｃ、１６ｃ、１６ｃがそれぞれ周方向に離隔して形成されている。連動溝１６ｃ、１６ｃ、１６ｃにはそれぞれズームフォーカスカム環１４に取り付けられた連結ローラー１５、１５、１５が摺動自在に係合されている。
【００９５】
ズームフォーカスカム環１４の内面側には３群移動環１７が配置されている。３群移動環１７には第３レンズ群８を保持する３群レンズ保持枠１８が後述する調整機構によって位置決めされて取り付けられ、接着により固定されている。従って、３群移動環１７は３群レンズ保持枠１８を取り付ける取付部材として機能する。
【００９６】
３群移動環１７には絞りユニット１９が取り付けられている。
【００９７】
３群移動環１７は前側筒部２０と前側筒部２０の前端部から外方へ張り出されたフランジ部２１と前側筒部２０の後端部から内方へ張り出された連結面部２２と連結面部２２の内周部から後方へ突出された後側筒部２３とから成る（図２、図５及び図６参照）。
【００９８】
前側筒部２０には前後に延びる連通孔２０ａ、２０ａ、２０ａが周方向に離隔して形成されている。前側筒部２０の後端部には周方向に延びる支持孔２０ｂが形成されている。
【００９９】
フランジ部２１の前端部には外方へ突出された１群ガイド片２１ａ、２１ａ、２１ａが周方向に離隔して設けられている。フランジ部２１の後端部には外方へ突出されたバヨネット爪２１ｂ、２１ｂ、２１ｂが周方向に離隔して設けられている。バヨネット爪２１ｂ、２１ｂ、２１ｂは１群カム環１６のバヨネット溝１６ａに摺動自在に係合されている。
【０１００】
連結面部２２には挿入孔２２ａ、２２ａ、２２ａが周方向に離隔して形成されている。
【０１０１】
後側筒部２３には前後に延びる直進ガイド溝２３ａ、２３ａ、２３ａが周方向に離隔して形成されている。後側筒部２３の前端部には３群ローラー２３ｂ、２３ｂ、２３ｂが周方向に離隔して設けられている。３群ローラー２３ｂ、２３ｂ、２３ｂはそれぞれ固定環１１の３群直進ガイド溝１１ａ、１１ａ、１１ａとズームフォーカスカム環１４の３群カム溝１４ｃ、１４ｃ、１４ｃとに摺動自在に係合されている。
【０１０２】
３群移動環１７には４群カム環２４がバヨネット結合されている。４群カム環２４の前側略半分の部分には突状部２４ａが設けられ、突状部２４ａが３群移動環１７の挿入孔２２ａ、２２ａ、２２ａのうちの一箇所に後方から挿入され、突状部２４ａ以外の部分が３群移動環１７の外面側に配置されている。
【０１０３】
４群カム環２４の後端寄りの位置にはテーパーカム溝２４ｂ、２４ｂ、２４ｂが周方向に離隔して形成されている。
【０１０４】
４群カム環２４の突状部２４ａの前端部には４群ローラー２４ｃが取り付けられている。４群ローラー２４ｃは３群移動環１７の前側筒部２０に形成された支持孔２０ｂを挿通されズームフォーカスカム環１４の連動カム溝１４ｄに摺動自在に係合されている。
【０１０５】
従って、取付部材として機能する３群移動環１７はズームフォーカスカム環１４に支持され、ズームフォーカスカム環１４は３群移動環１７を支持する支持部材として機能する。
【０１０６】
４群カム環２４は後述するズーム動作に連動して３群移動環１７に対して光軸方向における定位置で回転される。
【０１０７】
３群移動環１７の後側筒部２３の内面側には４群移動環２５が配置されている（図２参照）。４群移動環２５には第４レンズ群９を保持する４群レンズ保持枠２６が取り付けられている。
【０１０８】
４群移動環２５にはテーパーカムフォロア２７、２７、２７が周方向に離隔して取り付けられている。テーパーカムフォロア２７、２７、２７はそれぞれテーパーカム溝２４ｂ、２４ｂ、２４ｂと直進ガイド溝２３ａ、２３ａ、２３ａに摺動自在に係合されている。従って、４群移動環２５は３群移動環１７に対して光軸方向へ移動される。
【０１０９】
３群移動環１７における前側筒部２０の内面側には２群移動環２８が配置され、２群移動環２８には第２レンズ群７を保持する２群レンズ保持枠２９が取り付けられている。
【０１１０】
２群移動環２８には前後に延びるフォーカス連動溝２８ａが形成されている。２群移動環２８には２群ローラー３０、３０、３０が周方向に離隔して取り付けられている。２群ローラー３０、３０、３０はそれぞれ３群移動環１７の前側筒部２０に形成された連通孔２０ａ、２０ａ、２０ａを挿通され、ズームフォーカスカム環１４の２群フォーカスカム溝１４ａ、１４ａ、１４ａに摺動自在に係合されている。
【０１１１】
１群カム環１６の外面側には１群移動環３１が配置されている。１群移動環３１には内面に前後方向に延びる１群直進ガイド溝３１ａ、３１ａ、３１ａが周方向に離隔して形成されている。１群直進ガイド溝３１ａ、３１ａ、３１ａにはそれぞれ３群移動環１７のフランジ部２１に設けられた１群ガイド片２１ａ、２１ａ、２１ａが摺動自在に係合されている。
【０１１２】
１群移動環３１の後端寄りの位置には１群カムフォロア３２、３２、３２が周方向に離隔して取り付けられている。１群カムフォロア３２、３２、３２はそれぞれ１群カム環１６の１群カム溝１６ｂ、１６ｂ、１６ｂに摺動自在に係合されている。
【０１１３】
１群移動環３１の前端部には第１レンズ群６を保持する１群レンズ保持枠３３が取り付けられている。
【０１１４】
１群移動環３１の外面には１群遮光環３４が取り付けられている。１群遮光環３４は１群カム環１６に固定されている。１群遮光環３４にはズーム連動ピン３４ａが取り付けられている。
【０１１５】
１群遮光環３４の外面側にはズーム操作環３５が配置され、ズーム操作環３５は中間筒１２に回転自在に支持されている。ズーム操作環３５には前後方向に延びるピン直進ガイド溝３５ａが形成され、ピン直進ガイド溝３５ａにはズーム連動ピン３４ａが摺動自在に係合されている。
【０１１６】
中間筒１２の外面側にはフォーカス操作環３６が回転自在に支持されている。フォーカス操作環３６の内面側には略円環状のフォーカス連動環３７が回転可能な状態で配置されている。フォーカス連動環３７には、後端部を除いた部分が前後方向に延びるフォーカス連動レバー３８が取り付けられ、フォーカス連動レバー３８は中間筒１２の挿通孔１２ａを挿通されて２群移動環２８のフォーカス連動溝２８ａに前後方向へ摺動自在に係合されている。
【０１１７】
フォーカス連動レバー３８はフォーカス連動環３７に取り付けられ、フォーカス連動環３７の回転に伴って回転される。
【０１１８】
フォーカス操作環３６の後端側には後部外装環３９が配置され、後部外装環３９の内部には交換レンズ３の電気制御回路が形成された図示しないメイン基板が配置されている。
【０１１９】
後部外装環３９の内部における上端部にはフォーカス駆動用のギヤユニット４０が配置されている。
【０１２０】
［レンズ鏡筒におけるズーミングの動作］
次に、レンズ鏡筒３におけるズーミングの動作について説明する。
【０１２１】
ズーム操作環３５が回転操作されると、ピン直進ガイド溝３５ａに係合されたズーム連動ピン３４ａに回転駆動力が伝達される。ズーム連動ピン３４ａに回転駆動力が伝達されることにより、１群遮光環３４と１群カム環１６が一体になって回転される。
【０１２２】
１群カム環１６が回転されると、ズームフォーカスカム環１４に取り付けられた連結ローラー１５、１５、１５が１群カム環１６の連動溝１６ｃ、１６ｃ、１６ｃにそれぞれ係合されているため、１群カム環１６の回転に伴ってズームフォーカスカム環１４が回転される。
【０１２３】
ズームフォーカスカム環１４は移動用カム溝１４ｂ、１４ｂ、１４ｂにそれぞれ固定環１１に取り付けられた固定ローラー１１ｂ、１１ｂ、１１ｂが係合されているため、回転しながら固定ローラー１１ｂ、１１ｂ、１１ｂに案内されて光軸方向へ移動される。
【０１２４】
３群移動環１７に取り付けられた３群ローラー２３ｂ、２３ｂ、２３ｂがそれぞれ固定環１１の３群直進ガイド溝１１ａ、１１ａ、１１ａとズームフォーカスカム環１４の３群カム溝１４ｃ、１４ｃ、１４ｃに係合されている。従って、３群移動環１７は３群直進ガイド溝１１ａ、１１ａ、１１ａに案内されて光軸方向へ移動され、３群移動環１７の移動に伴って３群レンズ保持枠１８と第３レンズ群８が光軸方向へ移動される。
【０１２５】
４群カム環２４は４群ローラー２４ｃがズームフォーカスカム環１４の連動カム溝１４ｄに係合されており、３群移動環１７に対して光軸方向における定位置で回転される。尚、ズーム操作環３５の回転可能角度は、例えば、７５°に設定されているが、連動カム溝１４ｄが傾斜されているため、４群カム環２４の回転角度はズーム操作環３５の回転可能角度より小さくなり、例えば、６１．５°にされている。
【０１２６】
４群移動環２５はテーパーカムフォロア２７、２７、２７がそれぞれ４群カム環２４のテーパーカム溝２４ｂ、２４ｂ、２４ｂと３群移動環２３の直進ガイド溝２３ａ、２３ａ、２３ａに係合されているため、４群カム環２４の回転によって直進ガイド溝２３ａ、２３ａ、２３ａに案内されて光軸方向へ移動される。従って、４群移動環２５の移動に伴って４群レンズ保持枠２６と第４レンズ群９が光軸方向へ移動される。
【０１２７】
１群カム環１６はバヨネット溝１６ａに３群移動環１７のバヨネット爪２１ｂ、２１ｂ、２１ｂが係合されているため、ズーム操作環３５の回転に伴って回転され３群移動環１７と一体になって光軸方向へ移動される。
【０１２８】
１群移動環３１は１群直進ガイド溝３１ａ、３１ａ、３１ａにそれぞれ３群移動環１７の１群ガイド片２１ａ、２１ａ、２１ａが係合されて直進移動されるように規制されると共に１群カムフォロア３２、３２、３２がそれぞれ１群カム環１６の１群カム溝１６ｂ、１６ｂ、１６ｂに係合されている。従って、１群移動環３１は１群カム環１６の動作によって１群ガイド片２１ａ、２１ａ、２１ａに案内されて光軸方向へ移動され、１群移動環３１の移動に伴って１群レンズ保持枠３３と第１レンズ群６が光軸方向へ移動される。
【０１２９】
２群移動環２８は静止されているフォーカス連動レバー３８に直進移動されるように規制されると共に２群ローラー３０、３０、３０がそれぞれ２群フォーカスカム溝１４ａ、１４ａ、１４ａに係合されている。従って、２群移動環２８はズームフォーカスカム環１４の回転によってフォーカス連動レバー３８に案内されて光軸方向へ移動され、２群移動環２８の移動に伴って２群レンズ保持枠２９と第２レンズ群７が光軸方向へ移動される。
【０１３０】
［レンズ鏡筒におけるフォーカシングの動作］
次に、レンズ鏡筒３におけるフォーカシングの動作について説明する。
【０１３１】
オートフォーカス動作は、ギヤユニット４０に設けられた図示しない駆動モーター（ＤＣモーター）の駆動力が図示しない減速ギヤ群によって低回転高トルクに減速されフォーカス連動環３７が光軸方向における定位置で回転駆動されることにより行われる。
【０１３２】
一方、マニュアルフォーカス動作は、フォーカス操作環３６が手動操作されフォーカス操作環３６の駆動力がギヤユニット４０の減速ギヤ群によって減速されフォーカス連動環３７が光軸方向における定位置で回転駆動されることにより行われる。
【０１３３】
オートフォーカス動作及びマニュアルフォーカス動作の何れの動作においても、フォーカス連動環３７が回転されるとフォーカス連動レバー３８が一体になって回転され、２群移動環２８に駆動力が伝達される。２群移動環２８に駆動力が伝達されると、２群移動環２８に取り付けられた２群ローラー３０、３０、３０がそれぞれズームフォーカスカム環１４の２群フォーカスカム溝１４ａ、１４ａ、１４ａに摺動される。２群ローラー３０、３０、３０がそれぞれ２群フォーカスカム溝１４ａ、１４ａ、１４ａに摺動されることにより、２群移動環２８と２群レンズ保持枠２９と第２レンズ群７が一体になって光軸方向へ移動されてオートフォーカス動作又はマニュアルフォーカス動作が行われる。
【０１３４】
［レンズ鏡筒における調整機構］
次に、レンズ鏡筒３における調整機構について説明する（図５乃至図１４参照）。
【０１３５】
レンズ鏡筒３においては、例えば、光軸に対する第３レンズ群８の位置が調整され、この調整は３群移動環１７に対する３群レンズ保持枠１８の倒れ調整及び偏芯調整によって行われる。尚、レンズ鏡筒３にあって、調整が全ての光学系を保持した半完成状態、例えば、各レンズ群（６、７、８、９）を保持する各レンズ保持枠（３３、２９、１８、２６）がそれぞれ各移動環（３１、２８、１７、２５）に取り付けられ、これらに固定環１７、ズームフォーカスカム環１４、１群カム環１６及び４群カム環２４が組み付けられた状態において行われる。
【０１３６】
また、調整は望遠端状態、即ち、ズームフォーカスカム環１４が３群移動環１７に対して第１の位置にある状態において行われる（図１１参照）。望遠端状態は変倍領域において光学系の感度が最も高い状態であり、望遠端状態において調整を行うことにより調整精度の向上を図ることができる。
【０１３７】
調整機構は、例えば、二つの可動側調整部４１、４１と一つの受け側調整部４２によって構成されている（図８参照）。
【０１３８】
３群移動環１７の後側筒部２３には部材支持孔７０、７０、７０が周方向に離隔して形成され、部材支持孔７０、７０、７０にそれぞれ可動側調整部４１、４１と受け側調整部４２が支持される（図７、図９及び図１２参照）。部材支持孔７０は中央部７０ａと中央部７０ａの半径方向において１８０°反対側にそれぞれ形成された側部７０ｂ、７０ｂとから成る。
【０１３９】
可動側調整部４１は倒れ調整部材４３と倒れ調整部材４３に回転自在に支持された偏芯調整部材４４とによって構成されている。
【０１４０】
倒れ調整部材４３は光軸に直交する放射方向に延びる筒状に形成され、挿入支持孔４３ａを有している。倒れ調整部材４３はネジ支持部４５と挿入部４６と支持筒部４７が順に外側から連続して設けられて成る。
【０１４１】
ネジ支持部４５の軸方向における外側の端部には作業用のすり割り４５ａ、４５ａ、・・・が周方向に離隔して形成されている。ネジ支持部４５の内周面には螺溝部４５ｂが形成されている。
【０１４２】
挿入部４６は基部４６ａと基部４６ａから互いに反対側へ突出された被規制突部４６ｂ、４６ｂとから成る。挿入部４６の基部４６ａ、挿入支持孔４３ａと螺溝部４５ｂは略同軸にて形成されているが、支持筒部４７は偏芯した位置に形成されている。これにより、倒れ調整部材４３を回転させたときに、支持筒部４７と被作用部８２の光軸方向の当接位置を変化させることができる。
【０１４３】
倒れ調整部材４３は挿入部４６が３群移動環１７の部材支持孔７０に挿入される。このとき基部４６ａが中央部７０ａに挿入され被規制突部４６ｂ、４６ｂがそれぞれ側部７０ｂ、７０ｂに挿入され、３群移動環１７に対して回転されることによりネジ支持部４５と被規制突部４６ｂ、４６ｂがそれぞれ部材支持孔７０の各開口縁に係合されて３群移動環１７に回転可能な状態で支持される。
【０１４４】
部材支持孔７０と基部４６ａは、回転操作が可能な程度に適度な圧入寸法となっている。また、被規制突部４６ｂも、３群移動環１７に対して径方向に適度な圧入寸法になっている。さらに、偏芯調整部４４のネジ部４９と倒れ調整部材４３の螺溝部４５ｂも回転操作が可能な程度に適度な圧入寸法となっている。倒れ調整部材４３の回転操作トルクは、偏芯調整部材４４の単独での回転操作トルクよりも大きく設定されており、偏芯調整を実施するときに倒れ調整部材４３が変化したり、回転移動しないように設定されている。
【０１４５】
偏芯調整部材４４は頭部４８とネジ部４９と被支持軸部５０が外側から連続して設けられて成る。頭部４８には十字状の作業用溝４８ａが形成されている。偏芯調整部材４４はネジ部４９が螺溝部４５ｂに螺合され被支持軸部５０が支持筒部４７に内嵌状に挿入されて倒れ調整部材４３に回転自在に支持される。
【０１４６】
受け側調整部４２は保持部材５１と、例えば、圧縮コイルバネであるバネ部材５２とによって構成されている（図７、図８、図１０及び図１３参照）。
【０１４７】
保持部材５１は倒れ調整部材４３、４３と偏芯調整部材４４、４４の調整時に３群レンズ保持枠１８を３群移動環１７に保持する機能を有し、先端部５３とバネ受部５４と軸部５５と当接部５６が外側から連続して設けられて成る。保持部材５１は先端部５３の外径がバネ受部５４の外径より大きくされ、バネ受部５４の外径が軸部５５の外径より大きくされている。
【０１４８】
先端部５３には十字状の作業用溝５３ａが形成されている。バネ受部５４は円形状の挿通部５４ａと挿通部５４ａから互いに反対側へ突出された係止突部５４ｂ、５４ｂとから成る。
【０１４９】
当接部５６は断面形状が、例えば、蒲鉾状に形成され外周面５６ａが一部を除いて曲面状に形成されている（図１４参照）。
【０１５０】
保持部材５１は挿入部５４が３群移動環１７の部材支持孔７０に挿入される。このとき挿通部５４ａが中央部７０ａに挿入され係止突部５４ｂ、５４ｂがそれぞれ側部７０ｂ、７０ｂに挿入され、３群移動環１７に対して回転されることにより先端部５３と係止突部５４ｂ、５４ｂがそれぞれ部材支持孔７０の各開口縁に係合されて３群移動環１７に回転可能な状態で支持される。
【０１５１】
３群レンズ保持枠１８には放射方向において外方に開口された第１の連結穴８０、８０と放射方向に貫通された第２の連結穴８１とが周方向に離隔して形成されている（図９、図１０、図１２及び図１３参照）。
【０１５２】
第１の連結穴８０を形成する底面は被作用面８０ａとして形成されている。第１の連結穴８０を形成する後面８０ｂには前方へ突出された被作用部８２が設けられている。
【０１５３】
第２の連結穴８１は、例えば、略矩形状に形成されている。
【０１５４】
３群移動環１７の内部には付勢バネ５７が取り付けられている（図７、図１２、図１３参照）。付勢バネ５７はリング状のベース部５７ａとベース部５７ａから前方へ屈曲された弾性部５７ｂ、５７ｂ、５７ｂとから成り、ベース部５７ａの一部が３群移動環１７の内周部に係合されて取り付けられている。弾性部５７ｂ、５７ｂ、５７ｂは周方向に離隔して設けられている。
【０１５５】
付勢バネ５７は弾性部５７ｂ、５７ｂ、５７ｂがそれぞれ３群レンズ保持枠１８の後面に押し付けられ、３群レンズ保持枠１８が前方へ付勢されている。
【０１５６】
倒れ調整部材４３が３群移動環１７に回転自在に支持され偏芯調整部材４４が倒れ調整部材４３に回転自在に支持された状態においては、偏芯調整部材４４の被支持軸５０の先端面が３群レンズ保持枠１８の被作用面８０ａに接触される（図９参照）。このとき３群レンズ保持枠１８が付勢バネ５７によって前方へ付勢されているため、被作用部８２が倒れ調整部材４３における支持筒部４７の外周面に押し付けられている。倒れ調整部材４３の支持筒部４７は被作用部８２に点接触される。
【０１５７】
偏芯調整部材４４が３群移動環１７に回転自在に支持された状態においては、バネ部材５２が保持部材５１のバネ受部５４と３群レンズ保持枠１８の外周面との間に支持されている。従って、３群レンズ保持枠１８が放射方向に付勢されて被作用面８０ａ、８０ａがそれぞれ偏芯調整部材４４、４４の被支持軸５０、５０に押し付けられている。このとき３群レンズ保持枠１８が付勢バネ５７によって前方へ付勢されているため、第２の連結穴８１を形成する壁面（内周面）８１ａが保持部材５１の当接部５６に押し付けられている（図１０及び図１４参照）。
【０１５８】
当接部５６は曲面状に形成された外周面５６ａが壁面８１ａに接触されており、壁面８１ａに単一もしくは複数の位置において点接触されている。
【０１５９】
［調整機構による調整作業］
次に、上記した調整機構による３群レンズ保持枠１８の調整作業について説明する。
【０１６０】
調整作業は、先ず、図示しない治具を用いて倒れ調整部材４３と偏芯調整部材４４を一体で回転させることにより行われる。このとき倒れ調整部材４３のすり割り４５ａと偏芯調整部材４４の作業用溝４８ａに治具の一部が係合され、倒れ調整部材４３と偏芯調整部材４４が一体になって回転される。
【０１６１】
調整は一方の倒れ調整部材４３と偏芯調整部材４４を一体で回転させ、また、他方の倒れ調整部材４３と偏芯調整部材４４を一体で回転させることにより行われる。
【０１６２】
倒れ調整部材４３と偏芯調整部材４４が一体で回転されると、倒れ調整部材４３の支持筒部４７が被作用部８２に摺動され、このとき支持筒部４７が偏芯した位置に形成されているため、倒れ調整部材４３の回転位置に応じて被作用部８２の支持筒部４７に対する光軸方向における位置が変化される。従って、３群レンズ保持枠１８の３群移動環１７に対する傾斜角度が変化され、第３レンズ群８の光軸に対する倒れが調整される。
【０１６３】
このとき付勢バネ５７の付勢力によって被作用部８２が倒れ調整部材４３における支持筒部４７の外周面に押し付けられると共に第２の連結穴８１を形成する壁面８１ａが当接部５６に押し付けられている。
【０１６４】
従って、倒れ調整部材４３、４３及び偏芯調整部材４４に対する３群レンズ保持枠１８のガタツキが防止され、光軸に対する倒れに関する調整精度の向上を図ることができる。
【０１６５】
また、倒れ調整部材４３が３群レンズ保持枠１８に光軸方向において接触され、倒れ調整部材４３の３群移動環１７に対する回転により３群レンズ保持枠１８の３群移動環１７に対する傾きが変化されて３群レンズ保持枠１８の倒れが調整されるため、簡素な構成の調整機構によって調整を容易に行うことができる。
【０１６６】
さらに、３群レンズ保持枠１８に倒れ調整部材４３が接触される被作用部８２が設けられ、倒れ調整部材４３が被作用部８２に点接触されているため、倒れ調整部材４３に対する３群レンズ保持枠１８の接触位置が定まり易く、調整精度の一層の向上を図ることができる。
【０１６７】
上記のように、倒れ調整部材４３と偏芯調整部材４４が一体で回転されて倒れに関する調整作業が行われると、次に、図示しない治具を用いて倒れ調整部材４３に対して偏芯調整部材４４を回転させることにより偏芯に関する調整が行われる。このとき偏芯調整部材４４の作業用溝４８ａに治具の一部が係合され、倒れ調整部材４３に対して偏芯調整部材４４が回転される。
【０１６８】
調整は一方の偏芯調整部材４４を回転させ、また、他方の偏芯調整部材４４を回転させることにより行われる。
【０１６９】
倒れ調整部材４３に対して偏芯調整部材４４が回転されると、倒れ調整部材４３の螺溝部４５ｂに対して偏芯調整部材４４のネジ部４９が送られ、偏芯調整部材４４の倒れ調整部材４３に対する回転位置に応じて３群レンズ保持枠１８の３群移動環１７に対する放射方向における位置が変化される。従って、第３レンズ群８の光軸に対する偏芯が調整される。
【０１７０】
上記のように、レンズ鏡筒３にあっては、偏芯調整部材４４に設けられたネジ部４９が倒れ調整部材４３に形成された螺溝部４５ｂに対して送られて調整が行われるため、微少な調整を行うことが可能になり、調整精度の向上を図ることができる。
【０１７１】
このときバネ部材５２の付勢力によって３群レンズ保持枠１８の被作用面８０ａが偏芯調整部材４４の被支持軸５０に押し付けられている。
【０１７２】
従って、偏芯調整部材４４に対する３群レンズ保持枠１８のガタツキが防止され、光軸に対する偏芯に関する調整精度の向上を図ることができる。
【０１７３】
また、倒れ調整部材４３の螺溝部４５ｂと偏芯調整部材４４のネジ部４９との螺合状態が安定化され、倒れ調整部材４３に対する偏芯調整部材４４の回転動作における信頼性が向上し、偏芯に関する調整における動作の適正化を図ることができる。
【０１７４】
さらに、偏芯調整部材４４が３群レンズ保持枠１８に放射方向において接触され、偏芯調整部材４４の３群移動環１７に対する回転により３群レンズ保持枠１８の３群移動環１７に対する位置が変化されて３群レンズ保持枠１８の偏芯が調整されるため、簡素な構成の調整機構によって調整を容易に行うことができる。
【０１７５】
さらにまた、倒れ調整部材４３、４３と偏芯調整部材４４の調整時に３群レンズ保持枠１８を３群移動環１７に保持する保持部材５１が設けられているため、保持部材５１によって３群レンズ保持枠１８が３群移動環１７に保持された状態で調整が行われるため、３群レンズ保持枠１８の調整を正確かつ迅速に行うことができる。
【０１７６】
加えて、３群レンズ保持枠１８に形成された第２の連結穴８１の壁面８１ａに保持部材５１の当接部５６が点接触されているため、保持部材５１に対する３群レンズ保持枠１８の接触位置が定まり易く、調整精度の一層の向上を図ることができる。
【０１７７】
尚、上記には、３群レンズ保持枠１８の第２の連結穴８１ａが略矩形状に形成された例を示したが、例えば、第２の連結穴８１は後方に行くに従って幅が狭くなるような形状に形成されていてもよい（図１５参照）。この場合には、保持部材５１の当接部５６が第２の連結穴８１の壁面８１ａに２箇所で接する。
【０１７８】
また、当接部５６の形状は断面が蒲鉾状以外の各種の形状に形成されていてもよく、例えば、球状、半球状、楕円形状、四角形状、Ｖ字状等に形成されていてもよい。但し、当接部５６は第２の連結穴８１の壁面８１ａに点接触される形状に形成されることが望ましい。
【０１７９】
上記のように光軸に対する倒れの調整と偏芯の調整が終了すると、３群レンズ保持枠１８を３群移動環１７に接着によって固定する固定作業が行われる。固定作業は、例えば、広角端状態と望遠端状態の中間の位置である中間状態において行われる。
【０１８０】
この中間状態においてそれぞれ作業孔１４ｆ、１４ｆ、１４ｆから接着剤、例えば、紫外線硬化型の接着剤が３群移動環１７と３群レンズ保持枠１８に充填され、接着剤に向けて紫外線が照射されることにより３群移動環１７が３群レンズ保持枠１８に接着されて固定される。
【０１８１】
［撮像装置の一実施形態］
図１６に、本技術撮像装置の一実施形態による交換レンズ式のデジタルカメラのブロック図を示す。
【０１８２】
撮像装置（デジタルカメラ）１は、撮像機能を担うカメラブロック１０１と、撮影された画像信号のアナログ−デジタル変換等の信号処理を行うカメラ信号処理部１０２と、画像信号の記録再生処理を行う画像処理部１０３とを有している。また、撮像装置１は、撮影された画像等を表示するＬＣＤ（Liquid Crystal Display）等の表示部１０４と、メモリーカード１０９への画像信号の書込及び読出を行うＲ／Ｗ（リーダ／ライタ）１０５と、撮像装置１の全体を制御するＣＰＵ（Central Processing Unit）１０６と、ユーザーによって所要の操作が行われる各種の入力操作部４ａ、４ａ、・・・等によって構成される入力部１０７と、カメラブロック１０１に配置されたレンズやレンズ群等の光学素子１０１ａの駆動を制御するレンズ駆動制御部１０８とを備えている。
【０１８３】
カメラブロック１０１は、例えば、レンズ鏡筒３に設けられ、レンズやレンズ群等の光学系１０１ａを有している。
【０１８４】
カメラ信号処理部１０２は、撮像素子５からの出力信号に対するデジタル信号への変換、ノイズ除去、画質補正、輝度・色差信号への変換等の各種の信号処理を行う。
【０１８５】
画像処理部１０３は、所定の画像データーフォーマットに基づく画像信号の圧縮符号化・伸張復号化処理や解像度等のデーター仕様の変換処理等を行う。
【０１８６】
表示部１０４はユーザーの入力部１０７に対する操作状態や撮影した画像等の各種のデーターを表示する機能を有している。
【０１８７】
Ｒ／Ｗ１０５は、画像処理部１０３によって符号化された画像データーのメモリーカード１０９への書込及びメモリーカード１０９に記録された画像データーの読出を行う。
【０１８８】
ＣＰＵ１０６は、撮像装置１に設けられた各回路ブロックを制御する制御処理部として機能し、入力部１０７からの指示入力信号等に基づいて各回路ブロックを制御する。
【０１８９】
入力部１０７はユーザーによる操作に応じた指示入力信号をＣＰＵ１０６に対して出力する。
【０１９０】
レンズ駆動制御部１０８は、ＣＰＵ１０６からの制御信号に基づいて光学系１０１ａの各レンズを駆動する図示しないモータ等を制御する。
【０１９１】
メモリーカード１０９は、例えば、Ｒ／Ｗ１０５に接続されたスロットに対して着脱可能な半導体メモリーである。
【０１９２】
以下に、撮像装置１における動作を説明する。
【０１９３】
撮影の待機状態では、ＣＰＵ１０６による制御の下で、カメラブロック１０１において撮影された画像信号が、カメラ信号処理部１０２を介して表示部１０４に出力され、カメラスルー画像として表示される。また、入力部１０７からのズーミングのための指示入力信号が入力されると、ＣＰＵ１０６がレンズ駆動制御部１０８に制御信号を出力し、レンズ駆動制御部１０８の制御に基づいて光学系１０１ａの所定のレンズ又はレンズ群が移動される。
【０１９４】
入力部１０７からの指示入力信号によりカメラブロック１０１の図示しないシャッターが動作されると、撮影された画像信号がカメラ信号処理部１０２から画像処理部１０３に出力されて圧縮符号化処理され、所定のデーターフォーマットのデジタルデーターに変換される。変換されたデーターはＲ／Ｗ１０５に出力され、メモリーカード１０９に書き込まれる。
【０１９５】
フォーカシングは、例えば、入力部１０７のシャッター釦４ａが半押しされた場合や記録（撮影）のために全押しされた場合、又は、レンズ鏡筒３のフォーカス操作環３６が操作された場合に、ＣＰＵ１０６からの制御信号に基づいてレンズ駆動制御部１０８が光学系１０１ａの所定のレンズ又はレンズ群を移動させることにより行われる。
【０１９６】
メモリーカード１０９に記録された画像データーを再生する場合には、入力部１０７に対する操作に応じて、Ｒ／Ｗ１０５によってメモリーカード１０９から所定の画像データーが読み出され、画像処理部１０３によって伸張復号化処理が行われた後に、再生画像信号が表示部１０４に出力されて再生画像が表示される。
【０１９７】
［まとめ］
以上に記載した通り、レンズ鏡筒３にあっては、３群レンズ保持枠１８の３群移動環１７に対する位置を調整して光軸に対する３群レンズ保持枠１８の倒れを調整する倒れ調整部材４３と、３群レンズ保持枠１８の３群移動環１７に対する位置を調整して光軸に対する３群レンズ保持枠１８の偏芯を調整する偏芯調整部材４４とが設けられ、偏芯調整部材４４が倒れ調整部材４３に支持されている。
【０１９８】
従って、倒れ調整部材４３と偏芯調整部材４４が同一のスペースに配置されると共に同じ位置において光軸に対する３群レンズ保持枠１８の倒れの調整と偏芯の調整を行うことができるため、小型化及び調整作業の容易化を図ることができる。
【０１９９】
また、倒れ調整部材４３が光軸方向に直交する放射方向に延びる軸を支点として３群移動環１７に回転自在に支持され、偏芯調整部材４４が光軸方向に直交する放射方向に延びる軸を支点として倒れ調整部材４３に回転自在に支持されている。
【０２００】
従って、倒れ調整部材４３と偏芯調整部材４４を回転させることにより光軸に対する３群レンズ保持枠１８の倒れの調整と偏芯の調整を行うことができるため、簡素な構成によって調整の容易化を図ることができる。
【０２０１】
さらに、倒れ調整部材４３、４３と偏芯調整部材４４、４４が周方向に離隔して複数設けられているため、調整位置が複数に亘り、高い調整精度を確保することができる。
【０２０２】
尚、上記には、調整機構を可動側調整部４１、４１と受け側調整部４２によって構成した例を示したが、例えば、調整機構を複数の可動側調整部４１、４１、・・・のみによって構成することも可能である。
【０２０３】
［本技術］
本技術は、以下のような構成にすることもできる。
【０２０４】
（１）レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持されたレンズ鏡筒。
【０２０５】
（２）前記倒れ調整部材が光軸方向に直交する放射方向に延びる軸を支点として前記取付部材に回転自在に支持され、前記偏芯調整部材が光軸方向に直交する放射方向に延びる軸を支点として前記倒れ調整部材に回転自在に支持された前記（１）に記載のレンズ鏡筒。
【０２０６】
（３）前記倒れ調整部材が前記レンズ保持枠に光軸方向において接触され、前記倒れ調整部材の前記取付部材に対する回転により前記レンズ保持枠の前記取付部材に対する傾きが変化されて前記レンズ保持枠の倒れが調整されるようにした前記（２）に記載のレンズ鏡筒。
【０２０７】
（４）前記偏芯調整部材が前記レンズ保持枠に放射方向において接触され、前記偏芯調整部材の前記倒れ調整部材に対する回転により前記レンズ保持枠の前記取付部材に対する位置が変化されて前記レンズ保持枠の偏芯が調整されるようにした前記（２）又は前記（３）に記載のレンズ鏡筒。
【０２０８】
（５）前記偏芯調整部材にネジ部が形成され、前記倒れ調整部材に前記ネジ部が螺合される螺溝部が形成された前記（４）に記載のレンズ鏡筒。
【０２０９】
（６）前記レンズ保持枠を光軸方向において前記倒れ調整部材に押し付ける付勢バネが設けられた前記（３）から前記（５）の何れかに記載のレンズ鏡筒。
【０２１０】
（７）前記レンズ保持枠を前記放射方向において前記偏芯調整部材に押し付けるバネ部材が設けられた前記（４）から前記（６）の何れかに記載のレンズ鏡筒。
【０２１１】
（８）前記倒れ調整部材と前記偏芯調整部材が周方向に離隔してそれぞれ複数設けられた前記（１）から前記（７）の何れかに記載のレンズ鏡筒。
【０２１２】
（９）前記レンズ保持枠に前記倒れ調整部材が光軸方向において接触される被作用部が設けられ、前記倒れ調整部材が前記被作用部に点接触されるようにした前記（３）から前記（８）の何れかに記載のレンズ鏡筒。
【０２１３】
（１０）前記倒れ調整部材と前記偏芯調整部材による調整時に前記レンズ保持枠を前記取付部材に保持する保持部材が設けられた前記（１）から前記（９）の何れかに記載のレンズ鏡筒。
【０２１４】
（１１）前記レンズ保持枠に連結穴が形成され、前記保持部材に、前記連結穴に挿入されて前記連結穴を形成する壁面に接する当接部が設けられ、前記当接部が前記壁面に点接触されるようにした前記（１０）に記載のレンズ鏡筒。
【０２１５】
（１２）光軸に対する前記レンズ保持枠の倒れの調整と光軸に対する前記レンズ保持枠の偏芯の調整とが望遠端状態において行われるようにした前記（１）から前記（１１）の何れかに記載のレンズ鏡筒。
【０２１６】
（１３）内部に光学系が配置されたレンズ鏡筒と前記光学系を介して取り込まれた光学像を電気的信号に変換する撮像素子とを備え、前記レンズ鏡筒は、レンズを保持するレンズ保持枠と、前記レンズ保持枠が取り付けられる取付部材と、前記レンズ保持枠の前記取付部材に対する位置を調整して光軸に対する前記レンズ保持枠の倒れを調整する倒れ調整部材と、前記レンズ保持枠の前記取付部材に対する位置を調整して光軸に対する前記レンズ保持枠の偏芯を調整する偏芯調整部材とを備え、前記偏芯調整部材が前記倒れ調整部材に支持された撮像装置。
【０２１７】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２１８】
【図１】図２乃至図１６と共に本技術の最良の形態を示すものであり、本図は、撮像装置の概略斜視図である。
【図２】レンズ鏡筒の内部構造の一部を示す概略拡大断面図である。
【図３】ズームフォーカスカム環の拡大展開図である。
【図４】１群カム環の拡大展開図である。
【図５】３群移動環の拡大斜視図である。
【図６】図５とは異なる位置で示す３群移動環の拡大斜視図である。
【図７】３群移動環の一部と３群移動環に取り付けられる各部とを示す拡大分解斜視図である。
【図８】調整機構等を示す概略拡大断面図である。
【図９】可動側調整部を示す拡大断面図である。
【図１０】受け側調整部の一部を断面にして示す拡大断面図である。
【図１１】レンズ鏡筒の一部を省略した状態で望遠端状態において示す側面図である。
【図１２】可動側調整部等を示す拡大斜視図である。
【図１３】受け側調整部等を示す拡大斜視図である。
【図１４】受け側調整部等を示す拡大平面図である。
【図１５】当接部の形状が異なる受け側調整部等を示す拡大平面図である。
【図１６】撮像装置のブロック図である。
【符号の説明】
【０２１９】
１…撮像装置、３…レンズ鏡筒、５…撮像素子、１７…３群移動環（取付部材）、１８…３群レンズ保持枠、４３…倒れ調整部材、４４…偏芯調整部材、４５ｂ…螺溝部、４９…ネジ部、５１…保持部材、５７…付勢バネ、８１…第２の連結穴、８１ａ…壁面、８２…被作用部、１０１ａ…光学系
【図１】
2013257499.tif 000003
【図２】
2013257499.tif 000004
【図３】
2013257499.tif 000005
【図４】
2013257499.tif 000006
【図５】
2013257499.tif 000007
【図６】
2013257499.tif 000008
【図７】
2013257499.tif 000009
【図８】
2013257499.tif 000010
【図９】
2013257499.tif 000011
【図１０】
2013257499.tif 000012
【図１１】
2013257499.tif 000013
【図１２】
2013257499.tif 000014
【図１３】
2013257499.tif 000015
【図１４】
2013257499.tif 000016
【図１５】
2013257499.tif 000017
【図１６】
2013257499.tif 000018